(57)【要約】【構成】熱交換換気装置を有する建物における配管システム１０では、熱交換換気装置１２と給気口１８との間に配管される第２給気ダクト４６が、分岐されて給気通気管３２に接続され、その給気通気管３２が鞘管３０に接続されて、鞘管３０の中に給水管２８が通される。【効果】熱交換換気装置１２により適温に温度調整された給気が、第２給気ダクト４６および給気通気管３２を介して鞘管３０に流れることにより、給水管２８の結露および凍結が防がれる。そして、この給水管２８の結露などの防止に熱交換換気装置１２を利用することにより、製品コストおよびランニングコストを抑えられる。【選択図】  図１
2007191969.tif 000002
【特許請求の範囲】
【請求項１】
２４時間熱交換換気装置から供給される給気を建物の中に流す給気ダクト、および前記建物の中から排出される排気を前記２４時間熱交換換気装置へ流す排気ダクトを有する前記２４時間熱交換換気装置が設けられた前記建物における、配管システムであって、
前記建物の中に配管される給水管および給湯管のいずれかが挿通される鞘管を備え、
前記２４時間熱交換換気装置から供給される給気および前記建物の中から排出される排気のいずれか一方を前記鞘管に流す、配管システム。
【請求項２】
前記２４時間熱交換換気装置から供給される給気を前記鞘管に流す給気通気管、および
前記鞘管から流出する給気を前記２４時間熱交換換気装置へ流す戻り通気管をさらに備える、請求項１記載の配管システム。
【請求項３】
前記２４時間熱交換換気装置から供給される給気を前記鞘管に流す給気通気管、および
前記鞘管から流出する給気を前記建物の中へ取り出す取出口をさらに備える、請求項１記載の配管システム。
【請求項４】
前記建物の中から排出される排気を前記鞘管に取り入れる取入口、および
前記鞘管から流出する排気を前記２４時間熱交換換気装置へ流す排気通気管をさらに備える、請求項１記載の配管システム。
【請求項５】
前記建物の中に配置され、かつ前記給水管に接続される貯水槽、および
前記貯水槽を覆い、かつ前記鞘管と接続される鞘ケースをさらに備え、
前記２４時間熱交換換気装置から供給される給気および前記建物の中から排出される排気のいずれか一方を前記鞘ケースに流す、請求項１ないし４のいずれかに記載の配管システム。
【請求項６】
請求項１ないし５のいずれかに記載の配管システムが設けられた、建物。
【請求項７】
建物の外から取り込んだ外気と前記建物の中から排出された排気とを全熱交換する全熱交換器を有する２４時間熱交換換気装置において、
前記外気を全熱交換して得られた給気を流す給気通気管を接続するための給気通気管接続口と、前記建物の中から排出される排気を前記全熱交換器に流す排気通気管を接続するための排気通気管接続口との少なくとも１つを備え、
給水管および給湯管のいずれかが挿通される鞘管に前記外気を全熱交換して得られる給気および前記建物の中から排出される排気のいずれか一方を流す、２４時間熱交換換気装置。
【発明の詳細な説明】
【技術分野】
【０００１】
この発明は、配管システム、それを用いた建物、および２４時間熱交換換気装置に関し、特にたとえば、２４時間熱交換換気装置を有する建物の中に設けられる、配管システム、それを用いた建物、および２４時間熱交換換気装置に関する。
【背景技術】
【０００２】
従来の建物における配管システムの一例が、特許文献１に開示されている。この特許文献１の凍結防止配管構造では、鞘管に樹脂管が挿通された状態で、鞘管と樹脂管との間の連通空間にヒータで加温した空気が送風機により供給されている。
【特許文献１】特開２００１−２０７４９３号公報［Ｅ０３Ｃ  １／０２、Ｅ０３Ｂ  ７／１２］
【発明の開示】
【発明が解決しようとする課題】
【０００３】
特許文献１の従来技術では、連通空間に供給される空気を加温しそれを送風するためだけに、ヒータおよび送風機を設ける必要がある。このため、製品コストおよびランニングコストが嵩んでしまう。
【０００４】
それゆえに、この発明の主たる目的は、製品コストおよびランニングコストを抑えた、配管システム、それを用いた建物、および２４時間熱交換換気装置を提供することである。
【課題を解決するための手段】
【０００５】
請求項１の発明は、２４時間熱交換換気装置から供給される給気を建物の中に流す給気ダクト、および建物の中から排出される排気を２４時間熱交換換気装置へ流す排気ダクトを有する２４時間熱交換換気装置が設けられた建物における、配管システムであって、建物の中に配管される給水管および給湯管のいずれかが挿通される鞘管を備え、２４時間熱交換換気装置から供給される給気および建物の中から排出される排気のいずれか一方を鞘管に流す、配管システムである。
【０００６】
請求項１の発明では、２４時間熱交換換気装置により給気が適温に温度調節され、その給気が、給気ダクトを通り、建物の中に供給される。一方、適温に温度調節されている室内の排気が、排気ダクトを通り、２４時間熱交換換気装置へ排出される。この適温に温度調節された給気または排気を鞘管の中に通すと、鞘管の中が適温になる。
【０００７】
このため、鞘管の中に給水管が挿通される場合、鞘管内の空気と給水管との温度差が比較的小さく、空気中の水蒸気が凝縮しにくくなる。仮に、給水管の温度が周りの空気の露点より低く、周りの空気中の水蒸気が凝縮したとしても、鞘管の中に空気が常に流れているため、水滴が給水管に付着しにくい。よって、給水管の表面に結露の発生が防がれる。
【０００８】
また、鞘管の中に給水管が挿通される場合、寒冷地の冬季でも鞘管の中が適温に保たれるため、給水管が凝固点以下に冷却されず、給水管内の水の凍結が防がれる。
【０００９】
さらに、鞘管の中に給湯管が挿通される場合、冬季でも鞘管の中が適温に保たれるため、給湯管が冷却されにくい。よって、給湯管内のお湯の温度が低下しにくく、湯待ち時間の短縮化および節水が図れる。
【００１０】
請求項２の発明は、２４時間熱交換換気装置から供給される給気を鞘管に流す給気通気管、および鞘管から流出する給気を２４時間熱交換換気装置へ流す戻り通気管をさらに備える、請求項１記載の配管システムである。
【００１１】
請求項２の発明では、２４時間熱交換換気装置で適温に温度調節された給気を、給気通気管に通して、鞘管へ供給すると、給気が鞘管の中を流れて、鞘管の中は適温に保持される。このため、給水管の結露および凍結が防止され、また給湯管の湯温が維持される。
【００１２】
そして、鞘管から流出する給気を戻り通気管に通して、２４時間熱交換換気装置へ戻すと、戻った給気が全熱交換されたり、室内へ供給されたりして、給気が熱交換や換気に再利用される。
【００１３】
請求項３の発明は、２４時間熱交換換気装置から供給される給気を鞘管に流す給気通気管、および鞘管から流出する給気を建物の中へ取り出す取出口をさらに備える、請求項１記載の配管システムである。
【００１４】
請求項３の発明では、２４時間熱交換換気装置で適温に温度調節された給気を鞘管へ供給し、鞘管の中を適温に保つことにより、給水管の結露および凍結が防止され、また給湯管の湯温が維持される。
【００１５】
そして、鞘管から流出する給気を取出口から取り出すと、給気が室内へ供給されて、給気は換気に再利用される。
【００１６】
請求項４の発明は、建物の中から排出される排気を鞘管に取り入れる取入口、および鞘管から流出する排気を２４時間熱交換換気装置へ流す排気通気管をさらに備える、請求項１記載の配管システムである。
【００１７】
請求項４の発明では、適温に温度調節されている室内の排気を、取入口から取り入れて、鞘管の中へ流す。鞘管の中は排気により適温に保たれ、給水管の結露および凍結が防止され、また給湯管の湯温が維持される。
【００１８】
請求項５の発明は、建物の中に配置され、かつ給水管に接続される貯水槽、および貯水槽を覆い、かつ鞘管と接続される鞘ケースをさらに備え、２４時間熱交換換気装置から供給される給気および建物の中から排出される排気のいずれか一方を鞘ケースに流す、請求項１ないし４のいずれかに記載の配管システムである。
【００１９】
請求項５の発明では、給水管から貯水槽へ水を供給し、貯水槽に水を貯える。この貯水槽を鞘ケースで覆い、鞘ケースに鞘管を接続して、鞘ケースおよび鞘管に適温に温度調節された給気または排気を流すと、鞘ケースおよび鞘管の中は適温に保持されるため、貯水槽および給水管の結露および凍結が防止される。
【００２０】
請求項６の発明は、請求項１ないし５のいずれかに記載の配管システムが設けられた、建物である。
【００２１】
請求項６の発明では、請求項１−請求項５の発明と同様の作用を示す。
【００２２】
請求項７の発明は、建物の外から取り込んだ外気と建物の中から排出された排気とを全熱交換する全熱交換器を有する２４時間熱交換換気装置において、外気を全熱交換して得られた給気を流す給気通気管を接続するための給気通気管接続口と、建物の中から排出される排気を全熱交換器に流す排気通気管を接続するための排気通気管接続口との少なくとも１つを備え、給水管および給湯管のいずれかが挿通される鞘管に外気を全熱交換して得られる給気および建物の中から排出される排気のいずれか一方を流す、２４時間熱交換換気装置である。
【００２３】
請求項７の発明では、２４時間熱交換換気装置は、建物の外から外気を取り込み、また建物の中から排出された排気を取り込んで、外気と適温に温度調節されている排気とを全熱交換器で全熱交換する。そして、外気を適温に温度調節して給気として建物の中に供給し、一方排気を建物の外へ排出する。
【００２４】
この２４時間熱交換換気装置の給気通気管接続口に給気通気管を接続すると、適温に温度調節された給気が給気通気管を通って、鞘管へ供給され、鞘管の中が適温に温度調節される。これにより、鞘管に給水管を通せば、給水管の結露および凍結が防止され、また鞘管に給湯管を通せば、給湯管の湯温低下が抑えられる。
【００２５】
また、２４時間熱交換換気装置の排気通気管接続口に排気通気管を接続し、たとえば取入口を建物の中に設けて、適温に温度調節されている室内の排気を取入口から取り入れると、排気が鞘管を通って、鞘管の中が適温に温度調節される。このため、鞘管に給水管を通せば、給水管の結露および凍結が防止され、また鞘管に給湯管を通せば、給湯管の湯温低下が抑えられる。そして、排気が鞘管から排気通気管へ流出し、排気通気管を通って２４時間熱交換換気装置へ流れる。
【発明の効果】
【００２６】
この発明によれば、建物に設置された２４時間熱交換換気装置を用いることにより、専用装置を用いることなく、温度調整された空気を鞘管の中に流すことができる。このため、製品コストおよびランニングコストを抑えながら、給水管の凍結および結露を防止したり、給湯管の湯温を維持をしたりすることができる。
【００２７】
この発明の上述の目的，その他の目的，特徴および利点は、図面を参照して行う以下の実施例の詳細な説明から一層明らかとなろう。
【発明を実施するための最良の形態】
【００２８】
図１に示すこの発明の一実施例である２４時間熱交換換気装置を有する建物における配管システム１０は、２４時間熱交換換気装置（以下、熱交換換気装置と言う。）１２を有する建物１４の中に設けられる。吸込口１６と給気口１８との間に配管される給気ダクト２０、吐出口２２と排気口２４との間に配管される排気ダクト２６、中に給水管２８が通る鞘管３０、ならびにこれ以外で給気が通る給気通気管３２および戻り通気管３４を備える。
【００２９】
熱交換換気装置１２は建物１４の天井裏などに配置され、全熱交換器（図示せず）を有する。熱交換換気装置１２に、第１給気ダクト接続口３６、第２給気ダクト接続口３８、第１排気ダクト接続口４０、および第２排気ダクト接続口４２が設けられ、給気ダクト２０および排気ダクト２６がそれぞれ接続される。
【００３０】
給気ダクト２０は第１給気ダクト４４および第２給気ダクト４６を含む。第１給気ダクト４４は、その一方端が建物１４の外壁を貫通する吸込口１６に接続され、他方端が第１給気ダクト接続口３６に接続される。第２給気ダクト４６は、その一方端が第２給気ダクト接続口３８に接続され、他方端が建物１４の天井を貫通する給気口１８に接続される。このため、第１および第２給気ダクト４４、４６によって吸込口１６と給気口１８との間が熱交換換気装置１２を介して接続される。
【００３１】
また、第２給気ダクト４６は分岐し、給気通気管３２に接続される。給気通気管３２は、その一方端が第２給気ダクト４６に接続され、他方端が鞘管３０に接続される。
【００３２】
排気ダクト２６は第１排気ダクト４８および第２排気ダクト５０を含む。第１排気ダクト４８は、その一方端が建物１４の外壁を貫通する吐出口２２に接続され、他方端が第１排気ダクト接続口４０に接続される。第２排気ダクト５０は、その一方端が第２排気ダクト接続口４２に接続され、他方端が建物１４の天井を貫通する排気口２４に接続される。このため、第１および第２排気ダクト４８、５０によって吐出口２２と排気口２４との間が熱交換換気装置１２を介して接続される。
【００３３】
また、第２排気ダクト５０は分岐し、戻り通気管３４に接続される。戻り通気管３４は、その一方端が第２排気ダクト５０に接続され、他方端が台座ケース５２に接続される。
【００３４】
鞘管３０は、その一方端またはその近傍で給気通気管３２に接続され、他方端が台座ケース５２に接続される。台座ケース５２は内部空間を有し、その外側に給水栓５４が取り付けられる。図１および図２に示すように、鞘管３０は、気密性を有しながら、その中に給水管２８が通される。給水管２８は、配水管５６から延びて、鞘管３０の中を通り、台座ケース５２の内部空間を抜けて、給水栓５４に接続される。
【００３５】
また、台座ケース５２に戻り通気管３４が接続され、台座ケース５２の内部空間により戻り通気管３４と鞘管３０とが連通される。
【００３６】
このような建物１４の中の空気は、人が快適に過ごせる適温、たとえば夏季では２８度、冬季では２０度に温度調整されている。そして、熱交換換気装置１２により建物１４の中の空気が、排気として、排気口２４から第２排気ダクト５０を通って熱交換換気装置１２へ取り入れられる。熱交換換気装置１２の全熱交換器で外気と全熱交換されてから、第１排気ダクト４８を通って、吐出口２２から建物１４の外へ排出される。
【００３７】
一方、熱交換換気装置１２により建物１４の外の外気が、吸込口１６から第１給気ダクト４４を通って熱交換換気装置１２へ取り入れられる。熱交換換気装置１２の全熱交換器で排気と全熱交換され、適温に温度調節されてから、給気として、第２給気ダクト４６へ流される。給気の一部は第２給気ダクト４６を通り、給気口１８から建物１４の中に供給される。残りの給気は、第２給気ダクト４６から給気通気管３２へ流れ、給気通気管３２を通り鞘管３０へ流される。そして、鞘管３０と給水管２８との間を通って、鞘管３０から流出する給気が、台座ケース５２の内部空間へ流入し、そこから戻り通気管３４へ流れる。戻り通気管３４および第２排気ダクト５０を通り、熱交換換気装置１２へ戻る。この全熱交換器で外気と全熱交換されて、または全熱交換されずに、第１排気ダクト４８を介して吐出口２２から建物１４の外へ排出されたり、再び第２給気ダクト４６に流されたりする。
【００３８】
また、水道水は、配水管５６から鞘管３０内の給水管２８に流入し、給水管２８を通って、給水栓５４へ供給される。
【００３９】
このような配管システム１０において、熱交換換気装置１２により適温に温度調整された給気が鞘管３０の中を流されることで、夏季では、鞘管３０の中の温度が外気の温度に比べて低くなるため、鞘管３０の中を流れる給気と給水管２８との温度差が比較的小さくなり、給気中の水蒸気が凝縮しにくくなる。仮に、給水管２８の周りの給気が給水管２８により冷却されて、給気中の水蒸気が凝縮したとしても、鞘管３０の中を給気が常に流れているため、水滴が給水管２８に付着しにくい。したがって、給水管２８の表面に結露の発生が防がれる。
【００４０】
また、寒冷地の冬季には、熱交換換気装置１２により適温に温度調整された給気が鞘管３０の中に流れることにより、給水管２８の水が周りの空気により凝固点以下に冷却されないため、給水管２８の水の凍結が防がれる。
【００４１】
そして、建物１４に予め設けられた熱交換換気装置１２による給気を鞘管３０の中に流せば、ヒータや送風機などを給水管２８の結露および凍結防止専用に用いる必要がないため、熱交換換気装置１２を有する建物１４における配管システム１０の製品コストおよびランニングコストを抑えることができる。
【００４２】
なお、給気通気管３２との接続位置から台座ケース５２までの鞘管３０の範囲が、鞘管３０の中を流れる給気が給水管２８に作用する範囲となるため、給気通気管３２に接続位置が鞘管３０の端に近いほど作用範囲は広くなり、給水管２８の結露および凍結防止効果が向上する。
【００４３】
また、戻り通気管３４を台座ケース５２に接続し、台座ケース５２の内部空間を通じて戻り通気管３４を鞘管３０に接続したが、戻り通気管３４を鞘管３０に直接接続することもできる。
【００４４】
図３に示すこの発明の他の実施例である熱交換換気装置を有する建物における配管システム１０は、図１に示す熱交換換気装置を有する建物における配管システム１０とほぼ同じである。しかしながら、図１では鞘管３０から流出する給気を戻り通気管３４に流したが、図３では給気を取出口５８から建物１４の中へ流す点が異なる。これ以外の部分に関しては図１実施例の示す熱交換換気装置を有する建物における配管システム１０と同様であるため、共通する部分については同じ番号を付して説明を省略する。
【００４５】
第２排気ダクト５０は、その一方端が第２排気ダクト接続口４２に接続され、他方端が分岐せずに、排気口２４に接続される。
【００４６】
台座ケース５２に給水栓５４が取り付けられる。そして、給水管２８が、配水管５６から鞘管３０の中を通り、給水栓５４に接続される。また、台座ケース５２に取出口５８が取り付けられ、鞘管３０が接続される。そして、鞘管３０および取出口５８がそれぞれ台座ケース５２の内部空間に通じるため、この内部空間により鞘管３０と取出口５８とが連通する。
【００４７】
熱交換換気装置１２は、建物１４の中の空気を排気として、排気口２４から第２排気ダクト５０を通じて取り入れ、全熱交換器で外気と全熱交換させてから、第１排気ダクト４８に通して、吐出口２２から建物１４の外へ排出する。
【００４８】
また、建物１４の外の外気を、吸込口１６から第１給気ダクト４４を通じて取り入れ、全熱交換器で排気と全熱交換させて、適温に温度調節する。そして、給気として第２給気ダクト４６へ流し、給気の一部を給気口１８から建物１４の中に供給し、残る給気を給気通気管３２へ流す。
【００４９】
給気通気管３２に流れた給気は、鞘管３０へ流れ、鞘管３０の中で管壁と給水管２８との間を通る。これにより、鞘管３０の中が適温になり、給水管２８の結露が防止され、また給水管２８の水の凍結が防がれる。
【００５０】
そして、鞘管３０から流出する給気が台座ケース５２の内部空間を介して取出口５８から建物１４の中へ供給される。このため、給水管２８の結露および凍結の防止に利用した給気を、換気にも利用することができる。
【００５１】
このように、熱交換換気装置１２の給気を給水管２８の結露および凍結防止に用いることにより、熱交換換気装置を有する建物における配管システム１０の製品コストおよびランニングコストを抑えられる。
【００５２】
なお、取出口５８を台座ケース５２に設けたが、取出口５８を鞘管３０に接続することもできる。
【００５３】
図４に示すこの発明の他の実施例である熱交換換気装置を有する建物における配管システム１０は、図１に示す熱交換換気装置を有する建物における配管システム１０とほぼ同じである。しかしながら、図１では、給気ダクト２０を分岐した給気通気管３２を設け、給気ダクト２０を流れる給気を給気通気管３２に介して鞘管３０へ流したが、図４では、取入口６０および排気通気管６２を設け、建物１４の中の排気を取入口６０から鞘管３０および排気通気管６２に流す点が異なる。これ以外の部分に関しては図１実施例の示す熱交換換気装置を有する建物における配管システム１０と同様であるため、共通する部分については同じ番号を付して説明を省略する。
【００５４】
第２給気ダクト４６は、その一方端が第２給気ダクト接続口３８に接続され、他方端が分岐せずに給気口１８に接続される。
【００５５】
第２排気ダクト５０は、その一方端が第２排気ダクト接続口４２に接続され、他方端が排気口２４に接続される。そして、第２排気ダクト５０は分岐し、排気通気管６２に接続される。排気通気管６２は、その一方端が第２排気ダクト５０に接続され、他方端が鞘管３０に接続される。
【００５６】
鞘管３０は、その一方端またはその近傍で排気通気管６２に接続され、他方端が台座ケース５２に接続され、その中に給水管２８が通される。給水管２８は、鞘管３０の中を通り、その一方端が配水管５６に接続され、他方端が給水栓５４に接続される。
【００５７】
台座ケース５２に給水栓５４および取入口６０が設けられ、排気通気管６２が接続される。取入口６０および排気通気管６２がそれぞれ台座ケース５２の内部空間に通じ、この内部空間を介して排気通気管６２と取入口６０とが連通される。
【００５８】
熱交換換気装置１２は、建物１４の外の外気を、吸込口１６から第１給気ダクト４４を通じて取り入れ、全熱交換器で排気と全熱交換させて、適温に温度調節した後、給気として第２給気ダクト４６と通じて給気口１８から建物１４の中に供給する。
【００５９】
一方、建物１４の中の空気を排気として、排気口２４から第２排気ダクト５０を通じて取り入れ、全熱交換器で外気と全熱交換させてから、第１排気ダクト４８に通して、吐出口２２から建物１４の外へ排出する。
【００６０】
また、建物１４の中の排気を取入口６０から台座ケース５２に流入させ、その内部空間から鞘管３０の中に流す。ここで、適温に温度調整されている排気が鞘管３０の中を通り、給水管２８の結露および凍結が防止される。
【００６１】
そして、鞘管３０から流出する排気を排気通気管６２および第２排気ダクト５０に通して取り入れ、全熱交換器で外気と全熱交換させてから、第１排気ダクト４８に通して、吐出口２２から建物１４の外へ排出する。
【００６２】
この配管システム１０では、熱交換換気装置１２により排気を給水管２８の結露および凍結防止に用いることにより、熱交換換気装置１２を有する建物１４における配管システム１０の製品コストおよびランニングコストを抑えられる。
【００６３】
なお、取入口６０を台座ケース５２に設けたが、取入口６０を鞘管３０に接続することもできる。
【００６４】
図５に示すこの発明の他の実施例である熱交換換気装置を有する建物における配管システム１０は、図１に示す熱交換換気装置を有する建物における配管システム１０とほぼ同じである。しかしながら、図１では、第２給気ダクト４６を分岐して給気通気管３２を設け、給気通気管３２を第２給気ダクト４６を介して熱交換換気装置１２に接続したが、図５では、給気通気管６４を第２給気ダクト４６と別に設け、給気通気管６４を熱交換換気装置１２に直接接続している点が異なる。これ以外の部分に関しては図１実施例の示す熱交換換気装置を有する建物における配管システム１０と同様であるため、共通する部分については同じ番号を付して説明を省略する。
【００６５】
熱交換換気装置１２は、全熱交換器（図示せず）を有し、第１給気ダクト接続口３６、第２給気ダクト接続口３８、第１排気ダクト接続口４０、第２排気ダクト接続口４２、給気通気管接続口６６および戻り通気管接続口６８が設けられる。
【００６６】
第１給気ダクト４４が吸込口１６および第１給気ダクト接続口３６に接続され、第２給気ダクト４６が、分岐せずに、第２給気ダクト接続口３８および給気口１８に接続される。第１排気ダクト４８が吐出口２２および第１排気ダクト接続口４０に接続され、第２排気ダクト５０が、分岐せずに、第２排気ダクト接続口４２および排気口２４に接続される。
【００６７】
給気通気管６４が給気通気管接続口６６および鞘管３０に接続され、戻り通気管７０が戻り通気管接続口６８および台座ケース５２に接続される。鞘管３０が給気通気管６４および台座ケース５２に接続され、鞘管３０の中を給水管２８が通る。台座ケース５２の内部空間により戻り通気管７０と鞘管３０とが連通される。
【００６８】
この配管システム１０によると、熱交換換気装置１２は、建物１４の外から外気を吸込口１６および第１給気ダクト４４を通して取り入れ、外気を建物１４の中から排出される排気と全熱交換器で全熱交換する。この適温に温度調節された外気を、給気として第２給気ダクト４６および給気通気管６４にそれぞれ流す。第２給気ダクト４６を通った給気が、吸気孔３８から建物１４の中に供給される。
【００６９】
また、給気通気管６４を通った給気が、鞘管３０に流され、鞘管３０と給水管２８との間を通る。この給気により鞘管３０の中の給水管２８の結露および凍結が防がれる。そして、給気が、台座ケース５２に内部空間から給気戻り管を通って、熱交換換気装置１２へ戻る。この全熱交換器で外気と全熱交換されて、または全熱交換されずに、第１排気ダクト４８を介して吐出口２２から建物１４の外へ排出されたり、再び第２給気ダクト４６または給気通気管６４に流されたりする。
【００７０】
なお、戻り通気管７０を鞘管３０に台座ケース５２の内部空間を通じて接続したが、戻り通気管７０を鞘管３０に直接接続することもできる。
【００７１】
図６に示すこの発明の他の実施例である熱交換換気装置を有する建物における配管システム１０は、図３および図５に示す熱交換換気装置を有する建物における配管システム１０とほぼ同じである。なお、図３および図５実施例の示す熱交換換気装置を有する建物における配管システム１０と同様により共通する部分については同じ番号を付して説明を省略する。
【００７２】
熱交換換気装置１２は、第１給気ダクト接続口３６、第２給気ダクト接続口３８、第１排気ダクト接続口４０、第２排気ダクト接続口４２および給気通気管接続口６６が設けられる。
【００７３】
給気通気管６４が給気通気管接続口６６および鞘管３０に接続される。また、台座ケース５２に取出口５８が設けられ、台座ケース５２の内部空間により戻り通気管７０と取出口５８とが連通される。
【００７４】
この配管システム１０では、熱交換換気装置１２の全熱交換器により適温に温度調節された給気は、給気通気管６４を通じて鞘管３０に流され、鞘管３０と給水管２８との間を通る。この給気により鞘管３０の中の給水管２８の結露および凍結が防がれる。そして、給気が、台座ケース５２に内部空間を介して取出口５８から建物１４の中に供給される。
【００７５】
なお、取出口５８を台座ケース５２に設けたが、取出口５８を鞘管３０に接続することもできる。
【００７６】
図７に示すこの発明の他の実施例である熱交換換気装置を有する建物における配管システム１０は、図４および図５に示す熱交換換気装置を有する建物における配管システム１０とほぼ同じである。なお、図４および図５実施例の示す熱交換換気装置を有する建物における配管システム１０と同様により共通する部分については同じ番号を付して説明を省略する。
【００７７】
熱交換換気装置１２は、全熱交換器（図示せず）を有し、第１給気ダクト接続口３６、第２給気ダクト接続口３８、第１排気ダクト接続口４０、第２排気ダクト接続口４２および排気通気管接続口７２が設けられる。
【００７８】
排気通気管７４が排気通気管接続口７２および鞘管３０に接続される。また、台座ケース５２に取入口６０が設けられ、台座ケース５２の内部空間により排気通気管７４と取入口６０とが連通される。
【００７９】
この配管システム１０では、適温に温度調節されている排気が、取入口６０から台座ケース５２の内部空間を介して鞘管３０の中に流され、鞘管３０と給水管２８との間を通る。この排気により鞘管３０の中の給水管２８の結露および凍結が防がれる。そして、排気が、排気通気管７４を通じて熱交換換気装置１２に取り入れられ、全熱交換器で外気と全熱交換され、第１排気ダクト４８および吐出口２２から建物１４の外へ排出される。
【００８０】
なお、取入口６０を台座ケース５２に設けたが、取入口６０を鞘管３０に接続することもできる。
【００８１】
図８に示すこの発明の他の実施例である熱交換換気装置を有する建物における配管システム１０は、図５に示す熱交換換気装置を有する建物における配管システム１０とほぼ同じである。しかしながら、図５では鞘管３０の中に給水管２８を通しているが、図８では鞘管３０の中に給湯管７６を通している。これ以外の部分に関しては図５実施例の示す熱交換換気装置を有する建物における配管システム１０と同様であるため、共通する部分については同じ番号を付して説明を省略する。
【００８２】
鞘管３０は、その一方端が給湯器７８に延び、その近傍で給気通気管６４に接続され、また他方端が台座ケース５２に接続され、気密性を有しながら、鞘管３０の中を給湯管７６が通る。給湯管７６は、その一方端が給湯器７８に接続され、他方端が台座ケース５２に設けられた給湯栓８０に接続される。
【００８３】
この配管システム１０では、熱交換換気装置１２で温度調整された給気が鞘管３０の中を流れ、鞘管３０の中が適温に保持されるため、給湯管７６が冷却されにくく、給湯管７６の湯の温度低下が抑えられる。よって、給湯栓８０を開くと、湯が給湯栓８０から短時間に出るため、湯待ち時間の短縮化および節水が図られる。
【００８４】
なお、図８では図５実施例の配管システム１０において鞘管３０に給湯管７６を通したが、図１、図３、図４、図６および図７実施例の配管システム１０においても鞘管３０に給湯管７６を通すことができる。
【００８５】
図９に示すこの発明の他の実施例である熱交換換気装置を有する建物における配管システム１０は、図３に示す熱交換換気装置を有する建物における配管システム１０とほぼ同じである。なお、図３に示す熱交換換気装置を有する建物における配管システム１０と同様により共通する部分については同じ番号を付して説明を省略する。
【００８６】
第２給気ダクト８２は、第２給気ダクト接続口３８および給気口１８に接続され、第２給気ダクト接続口３８と給気口１８との間に鞘ケース８４が設けられる。また、鞘ケース８４に鞘管８６が接続される。鞘管８６は、鞘ケース８４から給気口１８の近傍まで第２給気ダクト８２の一部と兼用され、給気口１８の近傍で第２給気ダクト８２との兼用部分から分岐して、鞘管８６の専用部分となる。そして、鞘管８６は台座ケース５２に接続され、その内部空間により取出口５８と連通される。
【００８７】
鞘ケース８４の中に貯水槽８８が収容される。貯水槽８８は配水管（図示せず）および給水管２８に接続され、配水管から供給された水が貯水槽８８に一時的に貯えられ、そこから給水管２８へ流れる。    
【００８８】
この配管システム１０では、熱交換換気装置１２で適温に温度調節された給気が、第２給気ダクト８２を通り鞘ケース８４へ流入し、次に鞘管８６と第２排気ダクト５０との兼用部分へ流れる。給気の一部が、その兼用部分から第２排気ダクト５０の専用部分を通り、給気口１８から建物１４の中に供給される。残る給気が、兼用部分から鞘管８６の専用部分に流れ、鞘管８６と給水管２８との間を通る。この給気により鞘管８６の中の給水管２８の結露および凍結が防止される。そして、給気が、鞘管８６から台座ケース５２の内部空間へ流入し、取出口５８から建物１４の中へ供給される。
【００８９】
なお、図９では図３実施例の配管システム１０における第２給気ダクト４６に鞘ケース８４を設けたが、図１実施例の配管システム１０における第２給気ダクト４６に鞘ケース８４を設け、また図４実施例の配管システム１０における第２排気ダクト５０に鞘ケース８４を設けることができる。図１および図３実施例では第２給気ダクト４６の一部と鞘管３０の一部とが兼用され、図４実施例では第２排気ダクト５０の一部と鞘管３０の一部とが兼用される。
【００９０】
また、図９では鞘管８６の一部を第２給気ダクト８２の一部と兼用したが、図１０に示すように、鞘管９０を第２給気ダクト８２と別に設けることもできる。これと同様に、図１実施例の第２給気ダクト４６に鞘ケース８４を設け、また図４実施例の第２排気ダクト５０に鞘ケース８４を設けた場合も、第２給気ダクト４６および第２排気ダクト５０と別に鞘管９０を設けることもできる。
【００９１】
そして、鞘管９０を第２給気ダクト８２と別に設ける場合、図１０に示すように鞘管９０と第２給気ダクト８２とを並列に設けるのでなく、図１１に示すように、鞘管９０と第２給気ダクト８２とをまとめることもできる。この場合、１本の管９２の中に管壁９４を設け、この管壁９４により管軸と垂直方向の断面を分割する。そして、管壁９４で分けた一方の空間を鞘管９０として用い、その中に給水管２８を通し、また他方の空間を第２給気ダクト８２として用いる。
【００９２】
さらに、図９では鞘ケース８４の中に貯水槽８８を設けたが、図１２に示すように、鞘ケース８４の中に給水ヘッダ９６が収容することもできる。給水ヘッダ９６は、配水管（図示せず）に接続され、複数の給水口９８を有する。複数の給水口９８のそれぞれに給水管２８が接続され、給水管２８は鞘管９０の中を通り、給水栓５４に接続される。
【００９３】
なお、上記全ての実施例では、熱交換換気装置１２に、第１給気ダクト接続口３６、第２給気ダクト接続口３８、第１排気ダクト接続口４０、および第２排気ダクト接続口４２を設け、図５実施例では熱交換換気装置１２に給気通気管接続口６６および戻り通気管接続口６８を設け、図６実施例では熱交換換気装置１２に給気通気管接続口６６を設け、図７実施例では排気通気管接続口７２を設けたが、これらの接続口の熱交換換気装置１２における位置は限定されず、熱交換換気装置１２のケースまたはその中の全熱交換器などに設けられる。
【図面の簡単な説明】
【００９４】
【図１】この発明の一実施例の熱交換換気装置を有する建物における配管システムを示す図解図である。
【図２】給気通気管、鞘管および給水管を示す断面図である。
【図３】この発明の別の実施例の熱交換換気装置を有する建物における配管システムを示す図解図である。
【図４】この発明のさらに別の実施例の熱交換換気装置を有する建物における配管システムを示す図解図である。
【図５】この発明のさらに別の実施例の熱交換換気装置を有する建物における配管システムを示す図解図である。
【図６】この発明のさらに別の実施例の熱交換換気装置を有する建物における配管システムを示す図解図である。
【図７】この発明のさらに別の実施例の熱交換換気装置を有する建物における配管システムを示す図解図である。
【図８】この発明のさらに別の実施例の熱交換換気装置を有する建物における配管システムを示す図解図である。
【図９】この発明のさらに別の実施例の熱交換換気装置を有する建物における配管システムを示す図解図である。
【図１０】この発明のさらに別の実施例の熱交換換気装置を有する建物における配管システムを示す図解図である。
【図１１】この発明のさらに別の実施例の熱交換換気装置を有する建物における配管システムに用いられる鞘管および第２給気ダクトを示す断面図である。
【図１２】この発明のさらに別の実施例の熱交換換気装置を有する建物における配管システムを示す図解図である。
【符号の説明】
【００９５】
１０…配管システム
１２…熱交換換気装置
１４…建物
２０、８２…給気ダクト
２６…排気ダクト
２８…給水管
３０、８６、９０…鞘管
３２、６４…給気通気管
３４、７０…戻り通気管
５８…取出口
６０…取入口
６２、７４…排気通気管
６６…給気通気管接続口
７２…排気通気管接続口
７６…給湯管
８４…鞘ケース
８８…貯水槽
【図１】
2007191969.tif 000003
【図２】
2007191969.tif 000004
【図３】
2007191969.tif 000005
【図４】
2007191969.tif 000006
【図５】
2007191969.tif 000007
【図６】
2007191969.tif 000008
【図７】
2007191969.tif 000009
【図８】
2007191969.tif 000010
【図９】
2007191969.tif 000011
【図１０】
2007191969.tif 000012
【図１１】
2007191969.tif 000013
【図１２】
2007191969.tif 000014